【手続補正書】
【提出日】平成16年5月17日(2004.5.17)
【手続補正１】
【補正対象書類名】明細書
【補正対象項目名】発明の名称
【補正方法】変更
【補正の内容】
【発明の名称】学習支援方法、並びに、そのプログラムおよび装置
【手続補正２】
【補正対象書類名】明細書
【補正対象項目名】特許請求の範囲
【補正方法】変更
【補正の内容】
【特許請求の範囲】
【請求項１】
複数の問題データを保持するメモリを有し、クライアント装置と通信可能なサーバ装置上で動作する学習支援プログラムであって、
前記メモリから問題データを選択して前記クライアント装置に送信するステップと、
前記問題データに対する解答データ、および、前記解答データに対する自信の度合いを示す自信データを前記クライアント装置から受信するステップと、
前記問題データに対する、前記解答データおよび前記自信データ、並びに、前記解答データの正誤を判定した採点データを履歴データとして前記メモリに蓄積するステップと、
前記履歴データに基づき、前記クライアント装置の使用者の到達度を判定するステップと、
前記到達度に応じて、前記問題データの選択を制御するステップとを有することを特徴とする学習支援プログラム。
【請求項２】
さらに、前記クライアント装置の使用者に対応する前記履歴データが存在しない場合、前記メモリから所定数の問題データを選択して前記クライアント装置に送信し、前記クライアント装置から受信した前記問題データに対する解答データに基づき前記履歴データを作成するステップを有することを特徴とする請求項1に記載された学習支援プログラム。
【請求項３】
さらに、前記クライアント装置から採点の開始を指示するデータを受信すると、前記採点データを算出するステップを有することを特徴とする請求項1または請求項2に記載された学習支援プログラム。
【請求項４】
前記到達度の判定は、前記履歴データから正答率および前記問題データの消化率を計算し、その計算結果に基づき行うことを特徴とする請求項1から請求項3の何れかに記載された学習支援プログラム。
【請求項５】
前記正答率は、前記自信データ、正解と判定した前記解答データの数、および、前記正誤を判定した前記解答データの数から算出することを特徴とする請求項4に記載された学習支援プログラム。
【請求項６】
前記正答率は、前記自信データが自信ありを示し、かつ、正解と判定した前記解答データの数と、前記正誤を判定した前記解答データの数との比であることを特徴とする請求項4に記載された学習支援プログラム。
【請求項７】
前記消化率は、前記正誤を判定した前記解答データの数と、前記複数の問題データの数との比であることを特徴とする請求項4に記載された学習支援プログラム。
【請求項８】
さらに、前記到達度に応じて、前記クライアント装置に推奨学習方法を示すデータを送信するステップを有することを特徴とする請求項1から請求項7の何れかに記載された学習支援プログラム。
【請求項９】
前記推奨学習方法を示すデータは学習の終了、模擬試験の推奨、または  、学習用問題の学習の推奨の何れかを示すことを特徴とする請求項8に記載された学習支援プログラム。
【請求項１０】
さらに、前記クライアント装置から解答の中断を指示するデータを受信すると、前記解答の再開のための情報を前記メモリに保存するステップを有することを特徴とする請求項1に記載された学習支援プログラム。
【請求項１１】
さらに、前記クライアント装置に送信する問題データの分類に対応する学習コースデータおよび学習範囲データ、並びに、問題データを入力するステップを有することを特徴とする請求項1に記載された学習支援プログラム。
【請求項１２】
さらに、前記メモリに保持されるテーブルによって、前記問題データを前記学習コースデータおよび前記学習範囲データに対応付けて管理するステップを有することを特徴とする請求項11に記載された学習支援プログラム。
【請求項１３】
さらに、前記履歴データを参照して、前記複数の問題データのうち正答率が所定範囲外にある問題データの一覧表示データを生成するステップと、
前記一覧表示データに含まれる問題データを削除するステップとを有することを特徴とする請求項1に記載された学習支援プログラム。
【請求項１４】
請求項1から請求項13の何れかに記載された学習支援プログラムおよび複数の問題データが記録されたことを特徴とする記録媒体。
【請求項１５】
複数の問題データを保持するメモリを有し、クライアント装置と通信可能なサーバ装置が実行する学習支援方法であって、
前記メモリから問題データを選択して前記クライアント装置に送信し、
前記問題データに対する解答データ、および、前記解答データに対する自信の度合いを示す自信データを前記クライアント装置から受信し、
前記問題データに対する、前記解答データおよび前記自信データ、並びに、前記解答データの正誤を判定した採点データを履歴データとして前記メモリに蓄積し、
前記履歴データに基づき、前記クライアント装置の使用者の到達度を判定し、
前記到達度に応じて、前記問題データの選択を制御することを特徴とする学習支援方法。
【請求項１６】
クライアント装置と通信して学習支援処理を実行するサーバ装置であって、
複数の問題データを保持するメモリと、
前記メモリから問題データを選択して前記クライアント装置に送信する送信手段と、
前記問題データに対する解答データ、および、前記解答データに対する自信の度合いを示す自信データを前記クライアント装置から受信する受信手段と、
前記問題データに対する、前記解答データおよび前記自信データ、並びに、前記解答データの正誤を判定した採点データを履歴データとして前記メモリに蓄積する蓄積手段と、
前記履歴データに基づき、前記クライアント装置の使用者の到達度を判定する判定手段と、
前記到達度に応じて、前記問題データの選択を制御する制御手段とを有することを特徴とするサーバ装置。
【手続補正３】
【補正対象書類名】明細書
【補正対象項目名】０００１
【補正方法】変更
【補正の内容】
【０００１】
【発明の属する技術分野】
本発明は、学習者の独学による学習を支援する学習支援方法、並びに、そのプログラムおよび装置に関する。
【手続補正４】
【補正対象書類名】明細書
【補正対象項目名】０００８
【補正方法】変更
【補正の内容】
【０００８】
本発明は上記の問題を解決するためのもので、学習者の理解や習熟度に応じた問題を提示することにより、効率的な学習を可能にすることを目的とする。
【手続補正５】
【補正対象書類名】明細書
【補正対象項目名】０００９
【補正方法】変更
【補正の内容】
【０００９】
さらに、処理の中断および再開を可能とすることで、時間制約のない学習を可能にすることを目的とする。
【手続補正６】
【補正対象書類名】明細書
【補正対象項目名】００１０
【補正方法】変更
【補正の内容】
【００１０】
【課題を解決するための手段】
本発明は、前記の目的を達成する一手段として、以下の構成を備える。
【手続補正７】
【補正対象書類名】明細書
【補正対象項目名】００１１
【補正方法】変更
【補正の内容】
【００１１】
本発明は、複数の問題データを保持するメモリを有し、クライアント装置と通信可能なサーバ装置において、メモリから問題データを選択してクライアント装置に送信し、問題データに対する解答データ、および、解答データに対する自信の度合いを示す自信データをクライアント装置から受信し、問題データに対する、解答データおよび自信データ、並びに、解答データの正誤を判定した採点データを履歴データとしてメモリに蓄積し、履歴データに基づき、クライアント装置の使用者の到達度を判定し、到達度に応じて、問題データの選択を制御することを特徴とする。
【手続補正８】
【補正対象書類名】明細書
【補正対象項目名】００１２
【補正方法】変更
【補正の内容】
【００１２】
また、クライアント装置と通信して学習支援処理を実行するサーバ装置であって、複数の問題データを保持するメモリと、メモリから問題データを選択してクライアント装置に送信する送信手段と、問題データに対する解答データ、および、解答データに対する自信の度合いを示す自信データをクライアント装置から受信する受信手段と、問題データに対する、解答データおよび自信データ、並びに、解答データの正誤を判定した採点データを履歴データとしてメモリに蓄積する蓄積手段と、履歴データに基づき、クライアント装置の使用者の到達度を判定する判定手段と、到達度に応じて、問題データの選択を制御する制御手段とを有することを特徴とする。
【手続補正９】
【補正対象書類名】明細書
【補正対象項目名】００１３
【補正方法】変更
【補正の内容】
【００１３】
さらに詳細には、前記クライアント装置から解答の中断を指示するデータを受信すると、前記解答の再開のための情報を前記メモリに保存することを特徴とする。
【手続補正１０】
【補正対象書類名】明細書
【補正対象項目名】００６５
【補正方法】変更
【補正の内容】
【００６５】
【発明の効果】
以上説明したように、本発明によれば、学習者の理解や習熟度に応じた問題を提示するため、効率的な学習が可能になる。